(57)【特許請求の範囲】
【請求項１】
電子機器に付属し、前記電子機器に対する設定入力を操作表示手段から受け付けて、受け付けられた設定情報を前記操作表示手段に表示する情報表示装置において、
前記操作表示手段から受け付けた接触入力の位置である接触座標を検出する接触座標検出手段と、
前記操作表示手段から受け付けた接触入力の継続時間を検出する接触時間検出手段と、
前記接触座標検出手段によって検出された接触座標、および前記接触時間検出手段によって検出された継続時間に基づいて、前記電子機器の設定項目および設定値の少なくともいずれかを含む設定情報を判定する設定判定手段と、
前記設定判定手段によって判定された前記設定情報を前記操作表示手段に表示させる表示制御手段と、
を備え、
前記設定判定手段は、
前記接触座標に対応する前記設定項目を前記継続時間に基づいて判定し、
前記表示制御手段は、
前記操作表示手段に対して、前記設定判定手段の判定に基づき、前記接触座標および前記継続時間が対応する前記設定情報と、前記接触座標が対応し前記継続時間が対応しない前記設定情報とを表示させる
ことを特徴とする情報表示装置。
【請求項２】
前記表示制御手段によって前記操作表示手段に表示された設定情報を介して設定入力を受け付ける受付手段を、さらに備えたことを特徴とする請求項１に記載の情報表示装置。
【請求項３】
前記接触時間検出手段は、前記継続時間を所定の時間単位ごとに検出し、
前記設定判定手段は、前記接触座標および継続時間に基づいて、前記設定情報を前記所定の時間単位ごとに判定し、
前記表示制御手段は、前記設定情報を前記操作表示手段に前記所定の時間単位ごとに表示させるものであることを特徴とする請求項１または請求項２に記載の情報表示装置。
【請求項４】
前記設定判定手段は、前記接触座標と前記継続時間と前記設定情報とを対応付ける対応情報を有し、前記対応情報に基づいて前記設定情報を判定するものであることを特徴とする請求項１〜３のいずれか１つに記載の情報表示装置。
【請求項５】
前記継続時間と、前記設定判定手段により該継続時間で判定された前記設定情報との履歴情報から、前記継続時間と前記設定情報とを対応付ける対応情報を生成する対応情報生成手段を、さらに備え、
前記設定判定手段は、前記対応情報生成手段が生成した対応情報に基づいて前記設定情報を判定するものであることを特徴とする請求項１〜４のいずれか１つに記載の情報表示装置。
【請求項６】
前記設定判定手段は、
第１の設定情報が判定された第１の継続時間の前記履歴情報と、第２の設定情報が判定された第２の継続時間の前記履歴情報とから、該第１の設定情報と該第２の設定情報とを判定するための前記継続時間の閾値を決定することを特徴とする請求項５に記載の情報表示装置。
【請求項７】
前記設定判定手段は、
前記第１の設定情報が判定された前記第１の継続時間の頻度の分布の山と、前記第２の設定情報が判定された前記第２の継続時間の頻度の分布の山との間の谷部分における前記継続時間の頻度が一定値以下になるように、前記閾値を決定することを特徴とする請求項６に記載の情報表示装置。
【請求項８】
前記表示制御手段は、前記継続時間に基づいて、前記操作表示手段に表示する画像を、連続的変化および離散的変化の少なくともいずれかの変化の態様で、前記操作表示手段に表示するものであることを特徴とする請求項１〜７のいずれか１つに記載の情報表示装置。
【請求項９】
前記表示制御手段は、前記画像として、変化するアニメーション画像の態様で、前記操作表示手段に表示するものであることを特徴とする請求項８に記載の情報表示装置。
【請求項１０】
電子機器に付属し、前記電子機器に対する設定入力を操作表示手段から受け付けて、受け付けられた設定情報を前記操作表示手段に表示する情報表示装置の情報表示方法において、
接触座標検出手段によって、前記操作表示手段から受け付けた接触入力の位置である接触座標を検出する接触座標検出工程と、
接触時間検出手段によって、前記操作表示手段から受け付けた接触入力の継続時間を検出する接触時間検出工程と、
設定判定手段によって、前記接触座標検出工程で検出された接触座標、および前記接触時間検出工程で検出された継続時間に基づいて、前記電子機器の設定項目および設定値の少なくともいずれかを含む設定情報を判定する設定判定工程と、
表示制御手段によって、前記設定判定工程で判定された前記設定情報を前記操作表示手段に表示させる表示制御工程と、
を含み、
前記設定判定工程は、
前記接触座標に対応する前記設定項目を前記継続時間に基づいて判定し、
前記表示制御工程は、
前記操作表示手段に対して、前記設定判定工程の判定に基づき、前記接触座標および前記継続時間が対応する前記設定情報と、前記接触座標が対応し前記継続時間が対応しない前記設定情報とを表示させる
ことを特徴とする情報表示方法。
【請求項１１】
受付手段によって、前記表示制御工程で前記操作表示手段に表示された設定情報を介して設定入力を受け付ける受付工程を、さらに含むことを特徴とする請求項１０に記載の情報表示方法。
【請求項１２】
前記接触時間検出工程は、前記継続時間を所定の時間単位ごとに検出し、
前記設定判定工程は、前記接触座標および継続時間に基づいて、前記設定情報を前記所定の時間単位ごとに判定し、
前記表示制御工程は、前記設定情報を前記操作表示手段に前記所定の時間単位ごとに表示させるものであることを特徴とする請求項１０または請求項１１に記載の情報表示方法。
【請求項１３】
前記設定判定工程は、前記接触座標と前記継続時間と前記設定情報とを対応付ける対応情報に基づいて前記設定情報を判定するものであることを特徴とする請求項１０〜１２のいずれか１つに記載の情報表示方法。
【請求項１４】
対応情報生成手段によって、前記継続時間と、前記設定判定工程により該継続時間で判定された前記設定情報との履歴情報から、前記継続時間と前記設定情報とを対応付ける対応情報を生成する対応情報生成工程を、さらに含み、
前記設定判定工程は、前記対応情報生成工程で生成した対応情報に基づいて前記設定情報を判定するものであることを特徴とする請求項１０〜１３のいずれか１つに記載の情報表示方法。
【請求項１５】
前記設定判定工程は、
第１の設定情報が判定された第１の継続時間の前記履歴情報と、第２の設定情報が判定された第２の継続時間の前記履歴情報とから、該第１の設定情報と該第２の設定情報とを判定するための前記継続時間の閾値を決定することを特徴とする請求項１４に記載の情報表示方法。
【請求項１６】
前記設定判定工程は、
前記第１の設定情報が判定された前記第１の継続時間の頻度の分布の山と、前記第２の設定情報が判定された前記第２の継続時間の頻度の分布の山との間の谷部分における前記継続時間の頻度が一定値以下になるように、前記閾値を決定することを特徴とする請求項１５に記載の情報表示方法。
【請求項１７】
前記表示制御工程は、前記継続時間に基づいて、前記操作表示手段に表示する画像を、連続的変化および離散的変化の少なくともいずれかの変化の態様で、前記操作表示手段に表示するものであることを特徴とする請求項１０〜１６のいずれか１つに記載の情報表示方法。
【請求項１８】
前記表示制御工程は、前記画像として、変化するアニメーション画像の態様で、前記操作表示手段に表示するものであることを特徴とする請求項１７に記載の情報表示方法。
【請求項１９】
請求項１０〜１８のいずれか１つに記載の情報表示方法をコンピュータに実行させるためのプログラム。
【請求項２０】
画像データを取得する画像データ取得手段と、
前記画像データ取得手段によって取得された画像データを操作表示手段に表示し、設定情報を受け付けて受けて付けられた設定情報を表示する情報表示装置と、
前記情報表示装置に表示されて設定された設定情報により画像データに対して設定処理を施して画像出力する出力手段と、
を備えた画像形成装置であって、
前記情報表示装置は、
前記操作表示手段から受け付けた接触入力の位置である接触座標を検出する接触座標検出手段と、
前記操作表示手段から受け付けた接触入力の継続時間を検出する接触時間検出手段と、
前記接触座標検出手段によって検出された接触座標、および前記接触時間検出手段によって検出された継続時間に基づいて、前記電子機器の設定項目および設定値の少なくともいずれかを含む設定情報を判定する設定判定手段と、
前記設定判定手段によって判定された前記設定情報を前記操作表示手段に表示させる表示制御手段と、
前記表示制御手段によって前記操作表示手段に表示された設定情報から設定の指定を受け付けて前記出力手段に送信する受付手段と、を備え、
前記設定判定手段は、
前記接触座標に対応する前記設定項目を前記継続時間に基づいて判定し、
前記表示制御手段は、
前記操作表示手段に対して、前記設定判定手段の判定に基づき、前記接触座標および前記継続時間が対応する前記設定情報と、前記接触座標が対応し前記継続時間が対応しない前記設定情報とを表示させる
ことを特徴とする画像形成装置。
【発明の詳細な説明】
【技術分野】
【０００１】
本発明は、情報表示装置、情報表示方法、その方法をコンピュータに実行させるプログラム、および画像形成装置に関する。
【背景技術】
【０００２】
従来、デジタル複合機などの画像形成装置においては、付属しているタッチパネルが非常に狭いため、編集設定を行う場合に表示する編集メニューが見づらいという問題があった。特に、多機能化が進み設定項目が多くなるとこのような問題は深刻となってくる。このため、できるだけ簡単な操作で必要性の高い編集項目のみが表示されることが望まれていた。
【０００３】
このような問題を解決するために、例えば操作部におけるテンキーの「１」のキーが２回押下された場合、あるいは一定時間以上連続して押下された場合には、より下位の階層項目が選択して入力されたと判定して、編集項目を設定する技術が考案されている（特許文献１の段落００１０）。
【０００４】
【特許文献１】特開２００５−２３４７１４号公報
【発明の開示】
【発明が解決しようとする課題】
【０００５】
しかしながら、この技術によると、テンキーの押下の仕方によって自動的に下位の編集項目が設定される点で操作の煩雑さを省略できる場合もあるが、どのような押下の仕方の場合にどのような編集項目が設定されるのかが不明であって、一々、押下の仕方と押下に対応する下位の編集項目を記憶しなければならないという問題があった。
【０００６】
本発明は、このような問題に鑑みてなされ、その目的は、設定入力を受け付けながら、設定されようとする可能性の高い設定情報を判定して表示することによって、操作者にとって操作効率の高い情報表示装置、情報表示方法、その方法をコンピュータに実行させるプログラム、および画像形成装置を提供することである。
【課題を解決するための手段】
【０００７】
上述した課題を解決し、目的を達成するために、第１の発明は、電子機器に付属し、前記電子機器に対する設定入力を操作表示手段から受け付けて、受け付けられた設定情報を前記操作表示手段に表示する情報表示装置において、前記操作表示手段から受け付けた接触入力の位置である接触座標を検出する接触座標検出手段と、前記操作表示手段から受け付けた接触入力の継続時間を検出する接触時間検出手段と、前記接触座標検出手段によって検出された接触座標、および前記接触時間検出手段によって検出された継続時間に基づいて、前記電子機器の設定項目および設定値の少なくともいずれかを含む設定情報を判定する設定判定手段と、前記設定判定手段によって判定された前記設定情報を前記操作表示手段に表示させる表示制御手段と、を備え、前記設定判定手段は、前記接触座標に対応する前記設定項目を前記継続時間に基づいて判定し、前記表示制御手段は、前記操作表示手段に対して、前記設定判定手段の判定に基づき、前記接触座標および前記継続時間が対応する前記設定情報と、前記接触座標が対応し前記継続時間が対応しない前記設定情報とを表示させることを特徴とする。
【００１７】
第２の発明は、電子機器に付属し、前記電子機器に対する設定入力を操作表示手段から受け付けて、受け付けられた設定情報を前記操作表示手段に表示する情報表示装置の情報表示方法において、接触座標検出手段によって、前記操作表示手段から受け付けた接触入力の位置である接触座標を検出する接触座標検出工程と、接触時間検出手段によって、前記操作表示手段から受け付けた接触入力の継続時間を検出する接触時間検出工程と、設定判定手段によって、前記接触座標検出工程で検出された接触座標、および前記接触時間検出工程で検出された継続時間に基づいて、前記電子機器の設定項目および設定値の少なくともいずれかを含む設定情報を判定する設定判定工程と、表示制御手段によって、前記設定判定工程で判定された前記設定情報を前記操作表示手段に表示させる表示制御工程と、を含み、前記設定判定工程は、前記接触座標に対応する前記設定項目を前記継続時間に基づいて判定し、前記表示制御工程は、前記操作表示手段に対して、前記設定判定工程の判定に基づき、前記接触座標および前記継続時間が対応する前記設定情報と、前記接触座標が対応し前記継続時間が対応しない前記設定情報とを表示させることを特徴とする。
【００２８】
第３の発明は、画像データを取得する画像データ取得手段と、前記画像データ取得手段によって取得された画像データを操作表示手段に表示し、設定情報を受け付けて受けて付けられた設定情報を表示する情報表示装置と、前記情報表示装置に表示されて設定された設定情報により画像データに対して設定処理を施して画像出力する出力手段と、を備えた画像形成装置であって、前記情報表示装置は、前記操作表示手段から受け付けた接触入力の位置である接触座標を検出する接触座標検出手段と、前記操作表示手段から受け付けた接触入力の継続時間を検出する接触時間検出手段と、前記接触座標検出手段によって検出された接触座標、および前記接触時間検出手段によって検出された継続時間に基づいて、前記電子機器の設定項目および設定値の少なくともいずれかを含む設定情報を判定する設定判定手段と、前記設定判定手段によって判定された前記設定情報を前記操作表示手段に表示させる表示制御手段と、前記表示制御手段によって前記操作表示手段に表示された設定情報から設定の指定を受け付けて前記出力手段に送信する受付手段と、を備え、前記設定判定手段は、前記接触座標に対応する前記設定項目を前記継続時間に基づいて判定し、前記表示制御手段は、前記操作表示手段に対して、前記設定判定手段の判定に基づき、前記接触座標および前記継続時間が対応する前記設定情報と、前記接触座標が対応し前記継続時間が対応しない前記設定情報とを表示させることを特徴とする。
【発明の効果】
【００２９】
第１の発明によれば、操作表示手段から受け付けた接触入力の位置である接触座標と、接触入力の継続時間とに基づいて、電子機器の設定項目および設定値の少なくともいずれかを含む設定情報を判定し、判定された設定情報を操作表示手段に表示させることによって、設定しようとする項目や設定値のうちで可能性の高いものを表示させるので、操作者にとって、的確で効率の高い設定操作が可能な情報表示装置を提供できるという効果を奏する。
【００３９】
第２の発明によれば、操作表示手段から受け付けた接触入力の位置である接触座標と、接触入力の継続時間とに基づいて、電子機器の設定項目および設定値の少なくともいずれかを含む設定情報を判定し、判定された設定情報を操作表示手段に表示させることによって、設定しようとする項目や設定値のうちで可能性の高いものを表示させるので、操作者にとって、的確で効率の高い設定操作が可能な情報表示方法を提供できるという効果を奏する。
【００５０】
第３の発明によれば、操作表示手段から受け付けた接触入力の位置である接触座標と、接触入力の継続時間とに基づいて、電子機器の設定項目および設定値の少なくともいずれかを含む設定情報を判定し、判定された設定情報を操作表示手段に表示させ、設定しようとする項目や設定値のうちで可能性の高いものを表示し、表示された設定情報によって入力した画像データに対して設定処理を施して画像出力するので、操作者にとって、利便性と効率の高い設定操作が可能な画像形成装置を提供できるという効果を奏する。
【発明を実施するための最良の形態】
【００５１】
以下に添付図面を参照して、この発明にかかる情報表示装置、情報表示方法、その方法をコンピュータに実行させるプログラム、および画像形成装置の最良な実施の形態を、実施の形態１〜４、および変形例１〜５に沿って詳細に説明する。
【００５２】
（１．実施の形態１）
図１は、実施の形態１による情報表示装置を含む画像形成装置の機能的ブロック図である。画像形成装置はスキャナ１、画像処理部２、タッチパネル３、編集処理部４、画像出力部５、メモリ（ＨＤＤ）６、および情報表示装置１０を備える。
【００５３】
実施の形態１による情報表示装置１０は、画像形成装置に適用されている。情報表示装置１０は、スキャナ１で読み込んだ画像データに対して、操作者によるタッチパネル３からの設定入力を受け付けて、受け付けられた設定入力によって判定した設定情報をタッチパネル３上に表示する。そして、タッチパネル３上に表示した設定情報を介して、操作者による設定入力を受け付ける。
【００５４】
スキャナ１は、原稿画像を読み取る。画像処理部２は、読み取った原稿画像をデジタルデータに変換して画像データを生成し、情報表示装置１０に送信する。タッチパネル３は、操作者による接触入力を受け付ける。また、タッチパネル３は、読み込まれた画像データを表示する。また、タッチパネル３は、タッチパネル３上に表示される設定項目から接触入力による設定入力を受け付ける。
【００５５】
タッチパネル３は、人間の指先、スタイラスペン、その他の接触入力具を介して接触することによって入力を受け付ける。タッチパネル３は、指先やペン先からの押圧により抵抗の変化を検知する抵抗膜方式、赤外線検知方式、あるいはアナログ容量結合方式などの公知技術によって、表示するパネル面のそれぞれの位置における座標信号を検出する。
【００５６】
以下に入力の形態として、タッチパネル３に対して接触して入力を行う接触入力（以下、タッチ入力と称する）を例に挙げて説明する。しかし、必ずしもタッチ入力のみが本発明の実施の形態ではない。例えば、赤外線による位置検出の技術を適用して、入力する位置を検出することができる。また、入力方式として、マウスやキーボードを含む種々の入力方式を適用することができる。また、機械的に操作者による押下を受け付けて入力を行う操作部（不図示）を備えることができる。また、操作部は、印刷実行を指示する押下ボタンを備えることができる。
【００５７】
情報表示装置１０は、画像処理部２から受信する画像データに対して、設定項目に基づいて設定処理を施す。編集処理部４は、情報表示装置１０によって設定された処理項目に基づいて編集処理を施し、画像出力部５に送信する。画像出力部５は、編集処理を施された画像データに基づいて印刷出力する。
【００５８】
実施の形態１による情報表示装置１０は、接触座標検出部１１、接触時間検出部１２、受付部１３、設定判定部１４、および表示制御部１５を備える。
【００５９】
接触座標検出部１１は、タッチパネル３においてタッチ入力がなされて検出されたパッチパネル３上の位置信号から座標情報を生成する。接触座標検出部１１は、接触座標を接触入力の開始時に検出する。また、接触座標検出部１１は、接触の終了時においても検出する構成としても良い。また、接触座標検出部１１は、所定の時間ごとに忸怩検出する構成とすることができる。検出する座標位置を時間の経過と共にフィードバックするためである。
【００６０】
接触時間検出部１２は、タッチパネル３においてタッチ入力がなされた場合、タッチ入力されている継続時間を検出する。ここでは、接触時間検出部１２は、継続時間を接触入力の開始と終了時によって検出する。
【００６１】
設定判定部１４は、接触座標検出部１１によって検出された接触座標、および接触時間検出部１２によって検出された継続時間に基づいて、画像形成装置における設定項目および設定値の少なくともいずれかを含む設定情報を判定する。
【００６２】
ハードディスク６は、タッチパネル３へのタッチ入力で検出される座標およびタッチ入力の継続時間と、設定項目および設定値などの設定情報とを対応させる対応テーブルを、格納している。設定判定部１４は、入力する接触座標および接触時間に対応する設定情報を、対応テーブルから読み出して、判定結果とする。
【００６３】
表示制御部１５は、読み込んだ画像データをタッチパネル３上に表示する。また、表示制御部１５は、設定判定部１４によって読み出されて判定された設定情報を、タッチパネル３上に表示する。
【００６４】
受付部１３は、ユーザがタッチパネル３上に表示された設定情報を介して設定入力を行った場合、この設定入力をタッチパネル３を介して受け付け、編集処理部４に受け付けた設定情報を送信する。
【００６５】
図２は、タッチパネルから接触入力を受け付けることを説明する図である。図２は、読み込まれた原稿画像２００が段落、タイトル、写真などから構成されてタッチパネル３上に表示されている。今、操作者は符号２０１で表させるタッチパネル３上の点に対してタッチ入力を行う。
【００６６】
図３は、設定判定部が設定項目を判定する際に使用する対応テーブルの一例を示す模式図である。図３の対応テーブル３００には、項目番号３０１、タッチパネル上で入力される矩形範囲３０２、接触入力の継続時間（秒）３０３、および設定項目３０４を規定している。
【００６７】
図４は、表示画像から入力される座標の検出を説明する図である。ここで、ユーザは、指またはスタイラスペンでタッチパネル３にタッチ入力する。接触入力における接触点の位置データを設定するｘ軸およびｙ軸は、図４に示すように設定する。これらの軸はそれぞれ、画像形成装置であれば主走査線方向および副走査線方向に設定するのが便利である。
【００６８】
図３に示された矩形範囲における２つのパラメータの組（ｘ１、ｙ１）、（ｘ２、ｙ２）によって、ｘｙ座標系での矩形領域が規定される。図３では、座標点が（１０，２０）および（３０，７０）で規定される矩形内において、接触時間が時間が３秒〜６秒であった場合、設定される項目は項目番号１の「綴じ代」３０５が該当する。また、座標点が（２０，５０）および（４０，８０）で規定される矩形内において、接触時間が時間が０．３秒〜３秒であった場合、設定される項目は項目番号２の「パンチ穴」３０６が該当する。ここでは、綴じ代とパンチ穴の設定を分ける継続時間は、３秒が閾値となっている。即ち、３秒より短い場合は、パンチ穴と判定され、３秒以上６秒までは綴じ代と判定される。
【００６９】
今、接触時間検出部１２は、図２に示すポイント２０１がタッチ入力されて接触が開始し、タッチ入力が無検出状態となった時間が４秒であると計測したとする。今、接触座標検出部１１は、タッチ入力のポイントを（２５、６０）であると検出した。検出されたこの座標は、項目１および２のいずれもが該当する。設定判定部１４は、計測された接触時間が３〜６秒の場合であるので、図３に示す対応テーブルを参照して、項目１の綴じ代に該当すると判定した。そして、接触時間が０．３〜３秒の場合である項目２のパンチ穴を２番目の候補として判定した。また、設定判定部１４が、綴じ代であると判定した場合、綴じ代としてデフォルトで設定されている５ｍｍの数値を表示する。
【００７０】
図５は、設定判定部が、設定項目および設定値を判定してタッチパネル上に設定情報を表示した例を説明する図である。表示制御部１５は、設定判定部１４が判定した項目を表示する（符号５０１）。表示制御部１５は、設定判定部１４が判定した設定項目として「綴じ代」をタッチパネル３上に表示する（符号５０２）。そして、デフォルト値として決められている綴じ代の設定値として５ｍｍを表示する（符号５０３）。この数値に対してはユーザからのタッチ入力によって変更可能とすることが望ましい。また、次に可能性の高い設定項目として、「パンチ穴」を表示する（符号５０４）。
【００７１】
ユーザは、表示された項目を介して設定入力するために、タッチパネル３に表示された設定項目の候補５０１の中から、所望の設定項目を選択してタッチ入力する。受付部１３は、タッチ入力して受け付けられた設定項目についての情報を受信して編集処理部４に送信する。編集処理部４は、受信した設定項目情報に基づいて原稿画像データに編集処理を施し、画像出力部５に送信する。
【００７２】
図６は、実施の形態１による情報表示手順を説明するフローチャートである。タッチパネル３は、接触入力を検出し（ステップＳ１０１）、入力を検出した場合（ステップＳ１０１のＹｅｓ）、接触時間検出部１１は、接触時間をリセットする。これは接触している継続時間の計測を開始するためである（ステップＳ１０２）。
【００７３】
接触座標検出部１２は、タッチパネル３上の接触座標を検出する。今、接触座標が（２５，６０）であったとする（ステップＳ１０３）。タッチパネル３は、接触入力が無検出状態になったか否かを検出し（ステップＳ１０４）、無検出状態になった場合（ステップＳ１０４のＹｅｓ）、接触時間検出部１１は、それまでの接触時間を検出する。ここで接触継続時間が５秒であったとする（ステップＳ１０５）。
【００７４】
設定判定部１４は、図３に示した接触座標値および接触時間によって、設定情報を判定する。ここでは、該当する設定項目は図３から第１候補として「綴じ代」であると判定される。また第２候補として「パンチ穴」であると判定する（ステップＳ１０６）。表示制御部１５は、設定判定部１４によて判定された設定情報をタッチパネル３に、例えば図５の符号５０１〜５０３のように表示する。ここでは綴じ代のデフォルト値である５ｍｍが同時に示されている（ステップＳ１０７）。
【００７５】
受付部１３は、タッチパネル３上に表示した設定情報から入力を受け付けたか否かを検出する（ステップＳ１０８）。検出しなかった場合（ステップＳ１０８のＮｏ）、最初に戻り、タッチパネル３が接触入力を検出する状態となる（ステップＳ１０１）。
【００７６】
受付部１３が、タッチパネル３上から入力を受け付けた場合（ステップＳ１０８のＹｅｓ）、編集処理部４は、受け付けた設定内容に従って編集処理を施す（ステップＳ１０９）。画像出力部５は、編集後の画像データに基づいて画像出力を行う（ステップＳ１１０）。
【００７７】
図７は、設定判定部が設定項目を判定する手順を説明するフローチャートである。この設定項目の判定手順は、図６のステップＳ１０８の詳細な手順である。設定判定部１４は、検出した接触入力の座標値が、ｉ番目の所定の矩形範囲の中にあるか否かを判定する。図中、Ｌｉ、Ｒｉはｘ方向の範囲を画定し、ＴｉおよびＢｉはｙ方向の範囲を画定する（ステップＳ２０１）。ｉの値を変化させることによって（ステップＳ２０２）、タッチパネル３上でタッチ入力された矩形範囲が特定される（ステップＳ２０１のＹｅｓ）。
【００７８】
接触時間判定部１２は、接触する継続時間を計測する。設定判定部１４は、計測された継続時間が閾値より長いか否かを判定する。この場合、３秒が短時間接触と長時間接触との閾値であるとする（ステップＳ２０３）。接触継続時間が３秒より長いと判定した場合（ステップＳ２０３のＹｅｓ）、長時間接触によって定まる設定項目を選択する。ＣＬｉ→Ｃとは、ｉ番目の領域における長時間接触による設定項目を設定することを表す。ここでは、図３から「綴じ代」である。また、この時デフォルト値である５ｍｍが同時に選択される（ステップＳ２０４）。
【００７９】
そして、短時間接触の項目である「パンチ穴」が次の候補として図５に示すように選択される。ここで、ＣＳｉ→Ｃとは、ｉ番目の領域における短時間接触による設定項目を、設定することを表す（ステップＳ２０５）。表示制御部１５は、選択された設定項目情報を、タッチパネル３上に表示する（ステップＳ１０７）。
【００８０】
こうして、タッチパネル３から受け付けた接触入力の位置である接触座標と、接触入力の継続時間とに基づいて、電子機器の設定項目および設定値の少なくともいずれかを含む設定情報を判定し、判定された設定情報をタッチパネル３に表示させることによって、設定しようとする項目や設定値のうちで可能性の高いものを判定して表示させ操作者の入力を受け付けるので、効率の高い設定操作が可能になる。
【００８１】
（２．実施の形態２）
図８は、実施の形態２による情報表示装置の機能的ブロック図である。実施の形態２による情報表示装置２０が、実施の形態１と異なる点は、計時部２７を備えて、接触入力を開始した時点から、接触座標検出部１１は所定時間ごとに接触座標を検出し、接触時間検出部１２は所定時間ごとに継続時間を検出し、設定判定部２４は、接触座標および継続時間に基づいて、所定時間単位ごとに設定情報を判定し、表示制御部２５は、所定時間単位ごとに設定情報をタッチパネル３に表示させる。
【００８２】
このようにして、所定の時間単位ごとに、接触入力の接触座標および継続時間に基づいて判定された設定情報がタッチパネル３にフィードバックされて表示させるので、継続時間の変化によって異なって判定される設定項目を操作者に提示することができる。
【００８３】
図９は、実施の形態２による画像表示手順を説明するフローチャートである。タッチパネル３は、接触入力を検出し（ステップＳ３０１）、検出した場合（ステップＳ３０１のＹｅｓ）、計時部２７は、接触時間をリセットする（ステップＳ３０２）。計時部２７は、所定時間経過したか否かを検出し（ステップＳ３０３）、検出した場合（ステップＳ３０３のＹｅｓ）、接触座標検出部１１は、接触座標を検出し（ステップＳ３０４）、接触時間検出部１２は、接触時間を検出する（ステップＳ３０５）。
【００８４】
ここで、所定時間経過したか否かを検出するのは、接触座標および接触時間をこの所定時間の刻み幅で検出するためである。従って、この所定時間は、例えば０．０５秒、０．１秒、あるいは０．３秒という程度の単位である。
【００８５】
設定判定部２４は、所定時間経過した接触座標と接触継続時間によって、設定情報を判定する。例えば、図３に示したテーブルに即して判定すると、接触座標の領域が項目番号１および２に該当する場合であって、現在までの継続時間が２秒の場合は、設定判定部２４は、項目番号２の「パンチ穴」を第１候補と、そして項目番号１の「綴じ代」を第２候補であると判定し（ステップＳ３０６）、表示制御部２５は、第１候補として「パンチ穴」の設定情報を、第２候補都として「綴じ代」を表示する（ステップＳ３０７）。
【００８６】
しかしながら、ここでユーザが第２候補である「綴じ代」を設定したい場合は設定入力を行わないので、そのまま押し続け、受付部１３からの入力はなく（ステップＳ３０８のＮｏ）、ステップＳ３０２に戻って、タッチ入力により接触する時間が経過する。そして、接触時間検出部１２が、３秒以上の経過を検出した場合（ステップＳ３０５）、設定判定部２４は、今度は、図３から該当する「綴じ代」を設定項目として判定して（ステップＳ３０６）、表示制御部２５は表示する（ステップＳ３０７）。
【００８７】
受付部１３が、表示した設定情報から入力を受け付けたと判定した場合（ステップＳ３０８のＹｅｓ）、ステップＳ１０９（図５）に進み、受け付けないと判定した場合（ステップＳ３０８のＮｏ）、再びステップＳ３０２に戻る。
【００８８】
ここでは、座標位置は変化しないものとして説明したが、しかし、タッチ入力する座標位置を変化させることによって、拡大縮小などの設定を判定して表示することができる。あるいは、のりしろの幅なども設定可能である。
【００８９】
このようにして、所定の時間単位ごとに、接触入力の接触座標および継続時間を検出し、設定情報を判定してタッチパネル３に表示させることによって、接触入力による接触座標と接触時間に基づく設定情報が時間の経過と共にフィードバックされてタッチパネル３に表示されるので、設定しようとする内容が時間に伴って変化する場合であっても、的確に判定されて表示され、操作者によって効率の高い設定操作が可能となる。
【００９０】
（３．実施の形態３）
実施の形態３による情報表示装置が実施の形態１と異なる点は、接触時間と設定情報との履歴情報から対応情報を生成する対応情報生成部をさらに備えて、設定判定部は、継続時間、および対応情報生成部が生成する対応情報に基づいて設定情報を判定する点である。これにより、操作者による設定の統計的な特徴が対応情報に盛り込まれるので、操作者のくせや特徴が加味されて、設定しようとする項目が判定されて表示させることができる。
【００９１】
図１０は、実施の形態３による情報表示装置の機能的ブロック図である。情報表示装置３０の備える対応情報生成部３７は、タッチ入力された継続時間および受付部１３が受け付けた設定項目の履歴的なデータを収集し、履歴情報してＨＤＤ６に格納する。対応情報生成部３７は、受け付けた設定項目によって、履歴情報を書き換える。設定判定部３４は、接触入力の継続時間と、対応情報生成部３７によって書き換えられた履歴情報とを参照して、設定情報を判定する。
【００９２】
図１１は、履歴情報の一例を説明する模式図である。この履歴ファイルは、パンチ穴と綴じ代について、操作者がタッチ入力によって設定入力した頻度を、時間軸に対応付けて表現したものである。図１１は、長短接触時間の違いによって、入力される頻度が２つの山の形で出現する。最初の左側の山は、パンチ穴を入力した場合であり、右側の山は綴じ代を入力した場合である。
【００９３】
最初の設定ではグラフ１１０１に見られるように閾値を３秒として長めに設定されている。即ち、設定判定部３４は、最初は、今まで通りに接触時間が３秒以下であればパンチ穴と判定し、３秒より長ければ綴じ代と判定する。しかし、２つの山の間の谷の高さｈ１が充分低い場合、この場合は山と山との距離Ｌ１は比較的大きいのであるが、閾値をより短い時間と設定できる。
【００９４】
これに対して、グラフ１１０２は、閾値を２秒にした場合の頻度のグラフである。長短の判断が２秒を境とするために、間違って入力することがやや多くなり、２つの山の間の谷の高さｈ２はｈ１よりも高くなる。この谷の高さｈ２が所定値より大きくなると、長短の違いが少なすぎて問題となる。
【００９５】
そこで、グラフ１１０３は、再び閾値を長くして、２．５秒とした場合である。この場合、谷の高さｈ３および２つの山の距離Ｌ３は、グラフ１１０１および１１０２で示されたものの中間的な値を取る。
【００９６】
ここで設定判定部３４は、履歴情報１１００を基にして、ｈの高さをある一定値以下になるようにして、閾値を定める。このように、設定判定部３４は、閾値を最初は長目に設定されており、それが短く設定し直して不都合が生じるようであれば、さらにその中間に設定するというように、ｈの高さを基準にして漸近的に閾値を変化させる。このことによって、設定判定部３４は、最適な長短の接触時間を判定するための閾値を設定することができる。
【００９７】
このようにして、対応情報生成部３７は、履歴情報に基づいて対応情報を生成することができる。設定判定部３４は、対応情報生成部３７の生成した履歴情報に基づく対応情報を参照することによって設定情報を判定し、表示制御部１５は、設定判定部３４の判定した設定情報を表示する。
【００９８】
また、ここで、対応情報生成部３７は、さらに接触座標と設定情報とを対応付けて対応情報を生成し、設定判定部３４は、さらに接触座標、および対応情報に基づいて設定情報を判定することが望ましい。これについては、図１１に示した継続時間と頻度のグラフの代わりに、ｘｙ２次元座標に対して頻度を第３の次元とすることによって、同様の手法で履歴情報を加味した対応情報を生成することができる。
【００９９】
また、設定判定部３４は、生成した履歴情報でのｘｙ座標平面における座標の閾値を最適に設定することができる。そして、設定判定部３４は、履歴情報が加味されて最適化された接触時間および接触座標を含む対応情報に基づいて、設定項目を判定することができる。
【０１００】
ここで、長短の時間のしきい値を自動的にユーザに適応させる方法について補足する。ユーザの過去の操作履歴からタッチ時間の分布を求めると、既述のように基本的に２山の分布になるのは、長短タッチによって異なる設定項目が表示されることにより、ユーザは短時間のタッチと長時間のタッチとを意識的に区別しようとする自然な動作によるからである。
【０１０１】
一般的に、長いタッチは設定されているしきい値以上でなければならないので、閾値を超える近傍に右の山が来る。短いタッチがどのくらいの長さかはユーザによって異なる。そのため、一般的に、左の山の位置はユーザごとに異なるものとなる。ここで、左の山と右の山の間が空いている場合（２つの山の間の距離が長い場合）、長いタッチを判定するまでの時間が長く感じられて操作者がイライラする事が考えられる。そこで閾値を左の山の麓まで左に移動する。すると長いタッチを判定するための時間が短くなり、操作者がイライラすることが解消される。その後の操作パターンでは右の山が左に移動する可能性がある。こうして、履歴情報をＨＤＤ６に格納し、閾値を自動的に調整することによって、最適な待ち時間に収束する。
【０１０２】
このようにして、接触時間と設定情報とを対応付ける履歴情報を生成し、継続時間および履歴情報に基づいて対応情報を生成して設定情報を判定することによって、操作者個人の統計的な操作のくせを加味して設定情報の判定を行って表示するので、設定しようとする内容が個人的なくせをも加味して的確に表示され、効率の高い設定操作が可能となる。
【０１０３】
また、接触座標と設定情報とを対応付けて履歴情報を生成し、接触座標、および履歴情報に基づいて設定情報を判定することによって、操作者個人のタッチパネル３上での平面的な入力の統計的な操作のくせをも加味して設定情報の判定を行って表示するので、設定しようとする内容が的確に表示され、効率の高い設定操作が可能となる。
【０１０４】
（４．実施の形態４）
実施の形態４による画像表示装置が、実施の形態１と異なる点は、継続時間に基づいて、音声の強弱および高低の少なくともいずれかの変化において、連続的変化および離散的変化のうち少なくともいずれかの変化の態様で、出力する音声出力部を、さらに備えた点である。
【０１０５】
図１２は、実施の形態４による画像表示装置の機能的ブロック図である。画像表示装置は４０、スピーカ４７および音声出力制御部４８を備え、接触時間の経過に対して連続的、あるいは離散的な音量の変化を伴って音声出力する。あるいは、音量ではなく、音の高低の変化を伴った音声出力であっても良い。
【０１０６】
例えば、パーソナルコンピュータ（ＰＣ）では、同じ位置へのクリックに対して「シフトキーを押しながら」や「右クリック」などの使い分けで複数の意味を持たせることが可能である。しかし、タッチパネルではこのような多様な操作設定が基本的に不可能であるため、操作の自由度が極度に制限されるのが実情である。そこで、本発明はタッチしている時間の長短によって、複数の意味を持たせるものであった。
【０１０７】
しかし、ＭＦＰ（デジタル複合機）のような共用機器では、一般的に操作者に対してペーパーマニュアルを見ずにある程度の操作方法が推測できることが望ましい。このため、接触入力する接触時間の長短によって設定に関して２つの意味があることを、操作体験の中から、自然にユーザが自から発見できるように構成されていることが望ましい。
【０１０８】
しかし、短いタッチで操作している限り、長いタッチで設定項目の表示が異なるという情報がユーザにフィードバックされることはないので、この入力時間の長短によって設定項目が異なるという事実が発見されにくい。
【０１０９】
本実施の形態では、全く初めて操作する操作者に対しても「長いタッチが他の操作上の意味を有する」ことを、推測させるきっかけを提示する構成に特徴がある。すなわち、本実施の形態では、ユーザに長くタッチしてみるという試行を促させるようなフィードバックを表示画面を通して行うものである。
【０１１０】
例えば、タッチしている間、連続的に高さが変化するような音を継続して出力する。これが、本発明における音声の連続的変化を構成する。
【０１１１】
また、長短の境目となる時間（閾値）を超えた時点で、異なった高さや異なった大きさの音を出力する。これが、本発明における音声の離散的変化を構成する。つまり、接触を続けると例えば、接触により発生する音がだんだん大きくなり、閾値を超えたとたんに急に高温になる、というように音声出力する。
【０１１２】
このような連続的変化および離散的変化の態様で音声出力することによって、ユーザに対して、接触入力を継続する時間の変化によって何かが変化するのではないかと予測せしめることができる。このような構成によって、ユーザをして、長押しする試行をなさしめる可能性が高くすることができる。
【０１１３】
（変形例１）
画像表示装置の表示制御部４５は、継続時間に基づいて、タッチパネル３に表示する画像において、連続的変化および離散的変化の態様で、情報表示することが望ましい。また、表示制御部４５は、画像として、変化するアニメーション画像の態様で、タッチパネル３に情報表示することが望ましい。
【０１１４】
図１３は、変形例１による画像表示の例を示す模式図である。符号１３０１および１３０２で示された図形は、時間の経過を示すインジケータ様の図形である。台形形状の上に乗る三角形１３０３は、時間の経過に伴って左端から右方向へ移動する。
【０１１５】
三角形１３０３を乗せている台形形状は、閾値１３０４を境界にして２つの領域に分かれている。例えば、三角形１３０３が閾値１３０４の左側にある場合（図形１３０１）は、設定項目としてパンチ穴が判定されて表示されている。そして、三角形１３０３が閾値１３０４の右側にある場合（図形１３０２）は、経過時間が閾値を超えたので、設定項目として綴じ代が判定される。
【０１１６】
このように時間的な変化を動的な図形の変化によって表示するので、操作者は長くタッチして三角形が右側の領域に入ると「何か別のことが起こる」ということを予感、あるいは予測することができる。
【０１１７】
このような図形による変化の予感を表現するためには、特に、アニメーション表現によることが望ましい。単純化した動的な図柄によって分かり易く設定変化をもたらす予感を与えることができるからである。この場合、音声によって、時間の経過と共に徐々に音声やタッチパネル３上での表示色の強度を上げ、閾値を超えることによって飛躍的に大きな音を出力させたり強調した表示をすることが望ましい。より、変化の予感を強調して与えることができるからである。
【０１１８】
（変形例２）
また、図１３の符号１３０１および１３０２に示した一次元的に伸張する表示が操作上の妨害となる場合は、たとえは、図１３の符号１３１１〜１３１３に示したように、同心円の変化による表示とすることが望ましい。ここでは、タッチした点を中心として大小の同心円１３１１が表示され、同心円のうち内部の小円が時間の経過とともに波紋のように広がりながら水色からピンクに連続的に変化していき（符号１３１１および１３１２）、閾値を超えた場合には、赤の濃い色による大円１３１３だけになるというデザイン（符号１３１３）で表示することができる。
【０１１９】
あるいは、ピンクの半径一定の大円があって、連続的変化として同心円の小円が徐々に大きくなって大円に達するまでは短いタッチであり，達した後は、長いタッチとして設定項目が判定されて表示される構成とすることができる。この場合、大円に達した時点で、２つの円は重なって例えば、赤く強調して表示する。このような変化は断続的ないしは離散的な変化の一例である。
【０１２０】
（変形例３）
また他の変形例としては、接触入力の継続時間に基づいて、振動、熱、および触覚情報を含む少なくともいずれかの力覚情報の強弱の変化において、連続的変化や離散的変化などの変化の態様で、出力する力覚情報出力部を、さらに備える。
【０１２１】
図１４は、変形例３による情報表示装置の機能的ブロック図である。この情報表示装置５０は、力覚情報出力制御部５８と、バイブレータ５７を備え、継続時間の経過と、判定される設定情報の変更をバイブレータ５７による振動の連続的変化および断続的変化によって操作者に知らしめるものである。
【０１２２】
また、他のハプティクス（haptics＝触覚学）デバイスを使ってタッチパネル３を振動させることによって、触っている間、振動強度を徐々に強くしたり、断続的に振動強度を高めるなどのフィードバック出力をなして操作者に変化を予想させることができる。
【０１２３】
このようにして、接触時間の経過、すなわち接触する継続時間に従って、音声の強弱や高低の変化、および力覚情報の変化を、連続的変化と離散的変化の態様で出力することによって、設定しようとする内容の変化を操作者に予想させることができるので、操作者に
とって効率の高い設定操作が可能となる。
【０１２４】
（変形例４）
タッチパネル３上に表示するタッチ入力した接触時間の推移については、すでに説明した態様のデザインの他に、たとえば、時計様の長針と目盛りとを有して、時間の経過を長針の回転によって表示するデザインとすることが望ましい。これは、普段操作者が見慣れている時計のデザインと類似することから、時間の経過が意味を持つものと想像し易いためである。
【０１２５】
また、３６０°の回転角の半分（１８０°）の位置に長押し時間の閾値を設定して、その前後で色彩、明暗によって区別を付けることが望ましい。これは、閾値であって、この時間を超過して押し続けることによって設定が変化することを想起させやすいからである。
【０１２６】
この時計用の時間経過表示デザインは、例えば３６０°を６つに割った目盛りで、１周を約６秒と設定する。この場合、閾値として半分の３秒を境にデザインを変化させる。また、実施の形態に説明されているように、この閾値を変化させた場合には、境とするデザインも変化させることが望ましい。
【０１２７】
（変形例５）
これまでの実施の形態では、主に情報表示装置を画像形成装置に適用した例を説明したが、本発明による情報表示装置はこのような適用に限定されるものではない。例えば、適用する電子機器として携帯電話機が挙げられる。通話手段、受話手段、および通話と受話を送受信する通信手段を備えた携帯電話機（不図示）の表示および操作入力画面に本発明の情報表示装置を適用できる。
【０１２８】
携帯電話機に本発明の情報表示装置を適用する場合、携帯電話機の機能や送受信項目の設定などを表示し、操作者による設定を入力する液晶画面に対して、以上に説明した情報表示装置を適用することができる。これによって、携帯電話機の狭い情報表示および操作入力画面に対して、設定使用する内容の変化を操作者に粗相させることができ、操作者にとって分かり易く利便性と効率の高い設定操作が可能となる。
【０１２９】
さらに、携帯電話機に限定することなく、電子機器であって、設定すべき項目があり、設定を画面表示させながら画面入力する操作表示部を有するものであれば、本発明は適用可能である。例えば、デジタルカメラ、デジタルビデオカメラ、テレビ受像器、ビデオレコーダ、ＤＶＤレコーダ、ハードディスクレコーダなどの画像記録装置、各種試験用電子機器、および所謂デジタル家電などを含む各種の電子機器（不図示）に対して適用可能である。
【０１３０】
（５．ハードウェア構成）
図１５は、実施の形態による画像表示装置を有する画像形成装置のハードウェア構成を示すブロック図である。この画像形成装置は、ファックスやスキャナなどの複合的機能を備える複合機（ＭＦＰ）として構成されている。図に示すように、このＭＦＰは、コントローラ１２１０とエンジン部２２６０とをＰＣＩ（Ｐｅｒｉｐｈｅｒａｌ  Ｃｏｍｐｏｎｅｎｔ  Ｉｎｔｅｒｃｏｎｎｅｃｔ）バスで接続した構成となる。コントローラ２２１０は、ＭＦＰ全体の制御、情報表示制御、各種制御、画像処理制御など、ＦＣＵＩ／Ｆ２２３０、操作表示部（タッチパネル）２２２０からの入力を制御するコントローラである。エンジン部２２６０は、ＰＣＩバスに接続可能な画像処理エンジンなどであり、例えば取得した画像データに対して誤差拡散やガンマ変換などの画像処理部分が含まれる。
【０１３１】
コントローラ２２１０は、ＣＰＵ２２１１と、ノースブリッジ（ＮＢ）２２１３と、システムメモリ（ＭＥＭ−Ｐ）２２１２と、サウスブリッジ（ＳＢ）２２１４と、ローカルメモリ（ＭＥＭ−Ｃ）２２１７と、ＡＳＩＣ（Ａｐｐｌｉｃａｔｉｏｎ  Ｓｐｅｃｉｆｉｃ  Ｉｎｔｅｇｒａｔｅｄ  Ｃｅｒｃｕｉｔ）２２１６と、ハードディスクドライブ２２１８とを有し、ノースブリッジ２２１３とＡＳＩＣ２２１６との間をＡＧＰ（Ａｃｃｅｌｅｒａｔｅｄ  Ｇｒａｐｈｉｃｓ  Ｐｏｒｔ）バス２２１５で接続した構成となる。また、ＭＥＭ−Ｐ２２１２は、ＲＯＭ（Ｒｅａｄ  Ｏｎｌｙ  Ｍｅｍｏｒｙ）２２１２ａと、ＲＡＭ（Ｒａｎｄｏｍ  Ａｃｃｅｓｓ  Ｍｅｍｏｒｙ）２２１２ｂとをさらに有する。
【０１３２】
ＣＰＵ２２１１は、ＭＦＰの全体制御を行うものであり、ＮＢ２２１３、ＭＥＭ−Ｐ２２１２およびＳＢ２２１４からなるチップセットを有し、このチップセットを介して他の機器と接続される。
【０１３３】
ＮＢ２２１３は、ＣＰＵ２２１１とＭＥＭ−Ｐ２２１２、ＳＢ２２１４、ＡＧＰ２２１５とを接続するためのブリッジであり、ＭＥＭ−Ｐ２２１２に対する読み書きなどを制御するメモリコントローラと、ＰＣＩマスタおよびＡＧＰターゲットとを有する。
【０１３４】
ＭＥＭ−Ｐ２２１２は、プログラムやデータの格納用メモリ、プログラムやデータの展開用メモリなどとして用いるシステムメモリであり、ＲＯＭ２２１２ａとＲＡＭ２２１２ｂとからなる。ＲＯＭ２２１２ａは、プログラムやデータの格納用メモリとして用いる読み出し専用のメモリであり、ＲＡＭ２２１２ｂは、プログラムやデータの展開用メモリ、画像処理時の画像描画メモリなどとして用いる書き込みおよび読み出し可能なメモリである。
【０１３５】
ＳＢ２２１４は、ＮＢ２２１３とＰＣＩデバイス、周辺デバイスとを接続するためのブリッジである。このＳＢ２２１４は、ＰＣＩバスを介してＮＢ２２１３と接続されており、このＰＣＩバスには、ＦＣＵＩ／Ｆ２２３０なども接続される。
【０１３６】
ＡＳＩＣ２２１６は、マルチメディア情報処理用のハードウェア要素を有するマルチメディア情報処理用途向けのＩＣ（Ｉｎｔｅｇｒａｔｅｄ  Ｃｉｒｃｕｉｔ）であり、ＡＧＰ２２１５、ＰＣＩバス、ＨＤＤ２２１８およびＭＥＭ−Ｃ２２１７をそれぞれ接続するブリッジの役割を有する。
【０１３７】
このＡＳＩＣ２２１６は、ＰＣＩターゲットおよびＡＧＰマスタと、ＡＳＩＣ２２１６の中核をなすアービタ（ＡＲＢ）と、ＭＥＭ−Ｃ２２１７を制御するメモリコントローラと、ハードウェアロジック等により画像データの回転などを行う複数のＤＭＡＣ（Ｄｉｒｅｃｔ  Ｍｅｍｏｒｙ  Ａｃｃｅｓｓ  Ｃｏｎｔｒｏｌｌｅｒ）と、エンジン部２２６０との間でＰＣＩバスを介してＵＳＢ（Ｕｎｉｖｅｒｓａｌ  Ｓｅｒｉａｌ  Ｂｕｓ）２２４０、ＩＥＥＥ（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４、インタフェース２２５０が接続される。
【０１３８】
ＭＥＭ−Ｃ２２１７は、送信用画像バッファ、符号バッファとして用いるローカルメモリであり、ＨＤＤ２２１８は、画像データの蓄積、プログラムの蓄積、フォントデータの蓄積、フォームの蓄積を行うためのストーレジである。
【０１３９】
ＡＧＰ２２１５は、グラフィック処理を高速化するために提案されたグラフィックスアクセラレータカード用のバスインタフェースであり、ＭＥＭ−Ｐ２２１２に高スループットで直接アクセスすることにより、グラフィクスアクセラレータカードを高速にするものである。
【０１４０】
ＡＳＩＣ２２１６に接続する操作表示部（タッチパネル）２２２０は、操作者からの操作入力を受け付けて、ＡＳＩＣ２２１６に受け付けられた操作入力情報を送信する。
【０１４１】
なお、実施の形態のＭＦＰで実行される情報表示プログラムおよび画像形成プログラムは、ＲＯＭ等に予め組み込まれて提供される。
【０１４２】
実施の形態のＭＦＰで実行される情報表示プログラムおよび画像形成プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１４３】
さらに、実施の形態によるＭＦＰで実行される情報表示プログラムおよび画像形成プログラムを、インターネット等のネットワークに接続されたコンピュータ上に格納し、ネットワーク経由でダウンロードさせることにより提供するように構成しても良い。また、実施の形態のＭＦＰで実行される情報表示プログラムおよび画像形成プログラムをインターネット等のネットワーク経由で提供または配布するように構成しても良い。
【０１４４】
実施の形態のＭＦＰで実行される情報表示プログラムおよび画像形成プログラムは、上述した各部（接触座標検出部１１、接触時間検出部１２，受付部１３、設定判定部１４、表示制御部１５、計時部２７、対応情報生成部３７、音声出力制御部４８、および力覚情報出力制御部５８など）を含むモジュール構成となっており、実際のハードウェアとしてはＣＰＵ（プロセッサ）が上記ＲＯＭから情報表示プログラムおよび画像形成プログラムを読み出して実行することにより上記各部が主記憶装置上にロードされ、接触座標検出部１１、接触時間検出部１２，受付部１３、設定判定部１４、表示制御部１５、計時部２７、対応情報生成部３７、音声出力制御部４８、および力覚情報出力制御部５８などが主記憶装置上に生成されるようになっている。
【０１４５】
以上説明した本発明の実施の形態あるいは変形例は、説明のための一例であって、本発明はここに説明したこれらの具体例に限定されるものではない。
【産業上の利用可能性】
【０１４６】
以上のように、本発明にかかる情報表示装置、情報表示方法、その方法をコンピュータに実行させるプログラム、および画像形成装置は、情報表示技術に有用である。
【図面の簡単な説明】
【０１４７】
【図１】実施の形態１による情報表示装置を含む画像形成装置の機能的ブロック図である。
【図２】タッチパネルから接触入力を受け付けることを説明する図である。
【図３】設定判定部が設定項目を判定する際に使用する対応テーブルの一例を示す模式図である。
【図４】表示画像から入力される座標の検出を説明する図である。
【図５】設定判定部が、設定項目および設定値を判定してタッチパネル上に設定情報を表示した例を説明する図である。
【図６】実施の形態１による情報表示手順を説明するフローチャートである。
【図７】設定判定部が設定項目を判定する手順を説明するフローチャートである。
【図８】実施の形態２による情報表示装置の機能的ブロック図である。
【図９】実施の形態２による画像表示手順を説明するフローチャートである。
【図１０】実施の形態３による情報表示装置の機能的ブロック図である。
【図１１】履歴情報の一例を説明する模式図である。
【図１２】実施の形態４による画像表示装置の機能的ブロック図である。
【図１３】変形例１による画像表示の例を示す模式図である。
【図１４】変形例３による情報表示装置の機能的ブロック図である。
【図１５】実施の形態による画像表示装置を有する画像形成装置のハードウェア構成を示すブロック図である。
【符号の説明】
【０１４８】
１１  接触座標検出部
１２  接触時間検出部
１３  受付部
１４  設定判定部
１５  表示制御部
２７  計時部
３７  対応情報生成部
４８  音声出力制御部
５８  力覚情報出力制御部
【図１】
0004640973.tif 000002
【図２】
0004640973.tif 000003
【図３】
0004640973.tif 000004
【図４】
0004640973.tif 000005
【図５】
0004640973.tif 000006
【図６】
0004640973.tif 000007
【図７】
0004640973.tif 000008
【図８】
0004640973.tif 000009
【図９】
0004640973.tif 000010
【図１０】
0004640973.tif 000011
【図１１】
0004640973.tif 000012
【図１２】
0004640973.tif 000013
【図１３】
0004640973.tif 000014
【図１４】
0004640973.tif 000015
【図１５】
0004640973.tif 000016